(57)【要約】      （修正有）【課題】車載装置の各種機能の設定変更の為の操作がし易く、且つ設定変更の為の時間を節約できる車載装置及び車載装置設定システムを提供する。【解決手段】車載装置１００は、設定情報に基づいて各種設定を行う。車載装置１００は、設定ファイル読込部と設定反映部とを備える。設定ファイル読込部は、設定情報を内容とし、外部で作成された設定ファイルを読み込む。設定反映部は、設定ファイル内の設定情報に基づいて、車載装置１００の各種設定を行う。【選択図】図１
2020087157.tif 000002
【特許請求の範囲】
【請求項１】
設定情報に基づいて各種設定を行う車載装置であって、
前記設定情報を内容とし、外部で作成された設定ファイルを読み込む設定ファイル読込部と、
前記設定情報に基づいて各種設定を行う設定反映部と、
を備えることを特徴とする車載装置。
【請求項２】
可搬型記憶媒体を収容する収容部を備え、
前記設定ファイル読込部は、前記収容部に収容された可搬型記憶媒体に記憶された前記設定ファイルを読み込むことを特徴とする請求項１に記載の車載装置。
【請求項３】
前記設定ファイルを受信する通信部を備え、
前記設定ファイル読込部は、無線ネットワークを介して伝送された前記設定ファイルを読み込むことを特徴とする請求項１に記載の車載装置。
【請求項４】
前記通信部は、ネットワークを介してサーバと通信可能であり、
前記設定ファイルは、前記サーバに記憶されたものであることを特徴とする請求項１に記載の車載装置。
【請求項５】
請求項１〜４の何れか１項に記載の車載装置と、
前記設定ファイルを記憶する設定ファイル記憶部を備えるサーバと、
を備えることを特徴とする車載装置設定システム。
【請求項６】
前記サーバは、
ユーザの選択に基づいて設定情報を決定し、前記設定ファイルを作成する設定ファイル生成部と、
前記設定ファイルの設定画面の表示を行う設定画面表示部と、
を備え、
前記設定画面には、前記設定情報におけるユーザが選択可能な設定値の候補と前記設定情報の説明とが表示されることを特徴とする請求項５に記載の車載装置設定システム。
【発明の詳細な説明】
【技術分野】
【０００１】
本発明は、車載装置及び車載装置設定システムに関する。
【背景技術】
【０００２】
近年、車両に搭載される車載装置は、高性能化が進み、様々な機能が搭載されている。このような車載装置では、ユーザの好みに合わせて機能のＯＮ／ＯＦＦ、動作時間、動作タイミング、精度などの設定項目について設定を行うことが可能となっている。
【０００３】
メーカ出荷時、各機能における設定項目は、メーカが定めた設定（以下、初期設定とする）となっている。ユーザが車載装置を使用する場合に、特に設定を変更しなければ、初期設定に基づいて車載装置は動作する。各機能における設定項目がユーザにより変更が可能な場合には、ユーザが設定内容を初期設定から変更することにより、車載装置の機能をユーザの好みに応じてアレンジすることができる。
【先行技術文献】
【特許文献】
【０００４】
【特許文献１】特開２０１４−１４７０１７号公報
【発明の開示】
【発明が解決しようとする課題】
【０００５】
このように、機能の設定項目の変更を行うことができる車載装置では、各種機能をユーザの好みに応じて動作させることが可能である。そのためには、ユーザが車載装置の機能の設定項目を初期設定から変更する必要があるが、設定内容を変更したい機能が多くある場合には、その分だけ時間を要することになる。車載装置の機能の設定項目の変更は、安全上の観点より車両を停止させて行う。設定項目の変更の為の時間が長くなると、その分だけ、車両の移動を開始する時間が遅くなる。
【０００６】
また、機能の設定項目の変更のためには、設定内容が表示されたディスプレイを確認しながら、車載装置に備えられたボタンやリモコンを操作することで行われる。小型の車載装置においては、ディスプレイやボタンも小型であることが多い。そのため、ユーザは、小さいディスプレイを見ながら、小さいボタンを操作する必要がある。そのため、設定項目の変更の為の操作を行いづらいという問題も指摘されていた。
【０００７】
本発明は、上記のような従来技術の問題点を解決するために提案されたものであり、その目的は、車載装置の各種機能の設定変更の為の操作がし易く、且つ設定変更の為の時間を節約できる車載装置及び車載装置設定システムを提供することにある。
【課題を解決するための手段】
【０００８】
上記の目的を達成するため、本発明の車載装置は、設定情報に基づいて各種設定を行う車載装置であって、前記設定情報を内容とし、外部で作成された設定ファイルを読み込む設定ファイル読込部と、前記設定情報に基づいて各種設定を行う設定反映部と、を備えることを特徴とする。
【０００９】
可搬型記憶媒体を収容する収容部を備え、設定ファイル読込部が前記収容部に収容された可搬型記憶媒体に記憶された前記設定ファイルを読み込むこととしても良い。
【００１０】
前記設定ファイルを受信する通信部を備え、設定ファイル読込部が無線ネットワークを介して伝送された前記設定ファイルを読み込むこととしても良い。
【００１１】
前記通信部は、ネットワークを介してサーバと通信可能であり、前記設定ファイルは、前記サーバに記憶されたものであっても良い。
【００１２】
また、前記車載装置と、前記設定ファイルを記憶する設定ファイル記憶部を備えるサーバとからなる車載装置設定システムも本発明の一態様である。
【００１３】
前記サーバは、ユーザの選択に基づいて設定情報を決定し、前記設定ファイルを作成する設定ファイル生成部と、前記設定ファイルの設定画面の表示を行う設定画面表示部と、を備え、前記設定画面には、前記設定情報におけるユーザが選択可能な設定値の候補と前記設定情報の説明とが表示されるようにしても良い。
【発明の効果】
【００１４】
本発明によれば、車載装置の各種機能の設定変更の為の操作がし易く、且つ設定変更の為の時間を節約できる車載装置及び車載装置設定システムを提供することにある。
【図面の簡単な説明】
【００１５】
【図１】第１の実施形態の車載装置を示す斜視図である。
【図２】第１の実施形態の車載装置のメモリカード収容部を示す斜視図である。
【図３】第１の実施形態の車載装置のハードウェアブロック図である。
【図４】第１の実施形態のレーダー探知機の制御部の機能ブロック図である。
【図５】第１の実施形態の車載装置の設定手順を示すフローチャートである。
【図６】第２の実施形態の車載装置の構成を示すハードウェアブロック図である。
【図７】第３の実施形態の車載装置の構成を示すハードウェアブロック図である。
【図８】第３の実施形態の設定ファイルの設定画面の一例を示す図である。
【図９】第３の実施形態における設定ファイル作成時の設定画面を示す図である。
【００１６】
［１．第１の実施形態］
［１−１．概略］
本発明を実施するための第１の実施形態について、図面を参照して説明する。本実施形態における車載装置は、以下（１）〜（５）がある。
（１）車両内外の画像を記録するドライブレコーダー
（２）ＧＰＳからの位置情報と地図情報を利用して目的地までのルート案内を行うナビゲーションシステム
（３）自動車等の車両の制限速度を遵守させるため、警告等を行って速度遵守を促す機能を有するレーダー探知機
（４）有料道路を利用する際に料金所で停止することなく通過できるノンストップ自動料金収受システム用の車載装置
（５）車両に搭載され、音楽、動画などのコンテンツを再生する機能を有するカーオーディオ
また、車載装置は、これらに限定されるものではなく、車両に搭載される種々の機器が含まれる。以下では、車載装置がレーダー探知機である場合を例にとり説明する。
【００１７】
車載装置がレーダー探知機である場合、後述するプロセッサが、メモリに格納された各種のプログラム、データ、設定情報を読み出して実行することにより、レーダー探知機として機能する。読み出される設定情報は、車載装置の機能ごとに設けられた設定項目ごとに設定される設定値である。設定項目は、１つの機能に対して複数の設定項目が設定されても良い。
【００１８】
設定値は、ユーザが変更可能な設定値と、ユーザが変更可能ではない設定値の２種類の設定値が含まれる。ユーザが変更可能な設定値としては、以下の（ａ）〜（ｅ）の設定項目で設定させる設定値がある。各設定値は、工場出荷時には、括弧内に記載した初期値に設定されている。
（ａ）ロード自動選択              （初期値：オフ）
（ｂ）アナウンス選択              （初期値：女性）
（ｃ）警告パターン                （初期値：リアルＣＧ）
（ｄ）速度取締機制限速度超過警告  （初期値：無し）
（ｅ）速度取締機回避アナウンス    （初期値：オフ）
ユーザが変更可能な設定値は、これらに限定されるものではなく、取締機前下り坂警告、速度取締機カウントダウン、速度取締機優先警告、平均速度超過警告など、車載装置１００で設定する他の設定項目における設定値が含まれていても良い。また、設定値は、ＯＮ／ＯＦＦ、高／中／低、有／無、強／弱だけでなくレベルを表した数字なども含む。以下では、（ａ）〜（ｅ）の設定値について説明する。
【００１９】
（ａ）の「ロード自動選択」は、走行中の道路の種類に適した警告を行うために、走行している道路の種類を自動で判定するかについての設定項目である。この設定項目における設定値は、「オン」、「オフ」の２つの設定値が含まれる。設定値「オン」は、自動で道路の種類を判別する設定である。設定値「オフ」は、自動で道路の種類を判別しない設定である。「ロード自動選択」の初期値は、「オフ」に設定されている。
【００２０】
（ｂ）の「アナウンス選択」は、車載装置１００のスピーカから出力されるアナウンスの音声パターンについての設定項目である。この設定項目における設定値は、「女性」、「男性」、「キャラクター」、「英語」の４つの設定値が含まれる。設定値「女性」は、女性の声でアナウンスを行う設定である。設定値「男性」は、男性の声でアナウンスを行う設定である。設定値「キャラクター」は、合成音声による特徴的な声でアナウンスを行う設定である。設定値「英語」は、英語でアナウンスを行う設定である。「アナウンス選択」の初期値は、「女性」に設定されている。
【００２１】
（ｃ）の「警告パターン」は、ディスプレイに表示する各種警告のパターンについての設定項目である。この設定項目における設定値は、「リアルＣＧ」、「待受画面」、「安全運転モード」等、複数の設定値が含まれる。設定値「リアルＣＧ」は、速度取締機やＧＰＳポイント等をリアルなＣＧ画像で表示し警告を行う設定である。設定値「待受画面」は、音声とテロップで警告案内を行う設定である。設定値「安全運転モード」は、警告対象を安全運転支援に必要な最低限の種類に絞り、安全運転支援に関係のない機能を無効にし、警告画面も通常とは異なるシンプルな画面構成とし、必要な情報だけを短時間で認知できるように工夫した警告案内を行う設定である。その他設定値として、カメラで撮影した映像と地図を２画面で表示し、映像に対して警告案内を行う等、様々なものがある。「警告パターン」の初期値は、「リアルＣＧ」に設定されている。
【００２２】
（ｄ）の「速度取締機制限速度超過警告」は、速度取締機の制限速度に対して指定の速度を超過したときに警告するかについての設定項目である。この設定項目における設定値は、「無し」、「０キロ」、「５キロ」、「１０キロ」、「２０キロ」の設定値が含まれる。設定値「無し」は、車両の速度が速度取締機の制限速度を超過した場合にでも警告を行わない設定である。設定値「０キロ」、「５キロ」、「１０キロ」、「２０キロ」は、車両の移動速度が速度取締機の制限速度を設定値で設定した速度以上超過した場合に警告を行う設定である。「速度取締機制限速度超過警告」の初期値は、「無し」に設定されている。
【００２３】
（ｅ）の「速度取締機回避アナウンス」は、速度取締機から一定距離れた場合に報知をするかについての設定項目である。この設定項目における設定値は、音声などで報知を行う「オン」と、報知を行わない「オフ」の２つの設定値が含まれる。「速度取締機回避アナウンス」の初期値は、「オフ」に設定されている。
【００２４】
［１−２．車載装置１００の構成］
車載装置１００の外観構成を説明する。車載装置１００は、図１及び図２に示すように、本体１０１、ブラケット１０２、ディスプレイ１０３、ランプ１０４、メモリカード収容部１０５を有する。
【００２５】
本体１０１は、略直方体形状の筐体である。ブラケット１０２は、本体１０１を車両に取り付ける部材である。ブラケット１０２は台座１０２ａ、支持部１０２ｂ、及び取り付け部１０２ｃを有する。台座１０２ａはダッシュボード上に固定され、台座１０２ａからは支持部１０２ｂが上方に延びる。支持部１０２ｂは台座１０２ａに対して回動自在になっており、支持部１０２ｂの角度を変えることで本体１０１のダッシュボードに対する角度を変えることが可能となっている。支持部１０２ｂの先端には、本体１０１を取り付ける取り付け部１０２ｃが設けられる。取り付け部１０２ｃには、本体１０１が着脱自在に固定される。車載装置１００の電源としては、車両に搭載された車載バッテリーを使用する。例えば、車載装置１００をＯＢＤ−ＩＩアダプタやシガーライターソケットを介して車載バッテリーに接続しても良いし、車載装置１００からの直接配線を車載バッテリーに接続しても良い。
【００２６】
ディスプレイ１０３は、本体１０１の背面側（車両に設置された状態で車両の後方に向かう側）に設けられ、各種の情報を表示する液晶等の表示装置である。ランプ１０４は、各種の情報を発光により表示する部材である。メモリカード収容部１０５は、図２に示すように、本体１０１の側部に設けられたスリット状のスロットであり、スロット内にメモリカードＭが挿脱される。
【００２７】
［１−３．内部構成］
次に、車載装置１００の内部のハードウェア構成を、図３のブロック図を参照して説明する。車載装置１００は、上記のディスプレイ１０３、ランプ１０４、メモリカード収容部１０５に加えて、ＧＰＳ受信器１１１、加速度センサ１１２、気圧センサ１１３、ジャイロセンサ１１４、温度センサ１１５、スピーカ１１６、メモリカードインタフェース１１７、制御部１２１を有する。ディスプレイ１０３は、動画像、静止画を表示する出力装置である。ディスプレイ１０３は、撮像した映像、車載装置１００の設定画面、案内情報、警告等の情報を、所定のレイアウトで表示する。
【００２８】
ランプ１０４は、継続した発光又は消灯、点滅等により、ユーザに特定の情報を知らせる出力装置である。ランプ１０４としては、ＬＥＤを用いる。ランプ１０４は、例えば、発光によって電源オン、警告等を示すことができる。メモリカード収容部１０５は、メモリカードＭなどの可搬型記憶媒体を収容する記録媒体収容部である。メモリカードＭには、車載装置１００、外部装置２００や情報通信端末で作成された設定ファイルが記憶されている。メモリカード収容部１０５は、収容されたメモリカードＭと車載装置１００との電気的な接続を確立する。
【００２９】
ＧＰＳ受信器１１１はＧＰＳ衛星からの電波を受信し、ＧＰＳ衛星との距離及びＧＰＳ衛星の位置に基づいて車両の現在位置を検出する位置検出部である。ＧＰＳ受信器１１１は、車両の現在位置を検出する以外にもＧＰＳ衛星からの受信した信号から時刻を算出しても良い。算出した時刻は、車両の位置情報や速度情報と共に関連付けられ走行ログとして保存することもできる。
【００３０】
加速度センサ１１２は、車載装置１００や設置対象の加速度を検出するセンサである。本実施形態の加速度センサ１１２は、ｘ軸、y軸及びｚ軸の３軸方向の加速度を検出する３Ｇセンサを用いる。加速度センサ１１２により検出される加速度によって、車載装置１００を搭載した車両に加わった衝撃、車両の急加速、急減速などの動き、アイドリング時の振動などを判定できる。
【００３１】
気圧センサ１１３は、車載装置１００に掛かる気圧を検出するためのセンサである。車載装置１００は、ＧＰＳ未測位状態の自車位置を高精度に補完するために使用する。気圧センサ１１３としては、ピエゾ抵抗効果を利用した圧力センサを利用することができる。
【００３２】
ジャイロセンサ１１４は、車載装置１００や設置対象の角速度を検出するセンサであり、ＧＰＳ未測位状態の自車位置を高精度に補完するために使用される。温度センサ１１５は、車載装置１００の内部の温度を検出するセンサであり、無線・レーダー回路の温度偏差による誤判定を補正するために使用される。
【００３３】
スピーカ１１６は、音声により、ユーザに特定の情報を知らせる出力装置である。メモリカードインタフェース１１７は、メモリカード収容部１０５に収容されたメモリカードＭへのデータの書き込み及びメモリカードＭからのデータの読み出し、メモリカードＭのフォーマット等を行うインタフェースである。
【００３４】
制御部１２１は、車載装置１００の各部の動作を制御する。制御部１２１は、中央処理装置であるプロセッサを主体に構成され、各種のメモリ、入出力インタフェース等を備えた所謂コンピュータである。プロセッサは、メインプログラムに従って、情報の入力、記憶、出力等のための演算処理及び周辺機器の制御処理を行う。
【００３５】
メモリは、フラッシュメモリ、ＥＥＰＲＯＭ、ＲＡＭを含む。フラッシュメモリは、プロセッサが各部の制御を行うための各種の処理をおこなうためのプログラム、データ、設定が格納された書き込み可能な不揮発性メモリである。ＲＡＭは、プロセッサが処理を行う際の作業領域等として機能するメモリである。入出力インタフェースは、プロセッサが外部との間で入出力する情報の変換を行う。
【００３６】
さらに、車載装置１００には、信号ポート１１８、通信部１２０が設けられている。信号ポート１１８は、例えば、ＯＢＤ−IIのように車両のＥＣＵの自己診断機能のための各種の情報を取得する車両情報取得部である。信号ポート１１８には、例えば、車両のＯＢＤ−IIコネクタに、アダプタケーブルを介して接続される。ＥＣＵの自己診断機能のための各種の情報は、アダプタ内でＣＡＮの処理を処理され、アダプタ内のＵＡＲＴ（シリアル）通信ポートから信号ポート１１８へ伝送される。なお、ＥＣＵの自己診断機能のための各種の情報は、ＣＡＮ通信プロトコル以外の通信プロトコルや、ＵＡＲＴ通信以外の通信方法を用いて、車載装置１００に伝送されても良い、
【００３７】
通信部１２０は、外部との間で情報の送受信を行う処理部である。通信部１２０は、例えば、情報通信端末Ｔを介して、Ｗｉ-Ｆｉ（登録商標）、Ｂｌｕｅｔооｔｈ（登録商標）、ＵＳＢなどを利用したテザリングによりネットワークＮに接続され、外部装置２００との間で情報を送受信する通信モジュールである。なお、通信部１２０としては、例えば、３Ｇ、４Ｇ等の通信規格による基地局との接続機能を有することにより、情報通信端末Ｔを介さずに、ネットワークＮに接続可能な通信モジュールを用いることもできる。
【００３８】
［制御部の各処理部］
制御部１２１は、プロセッサが、メモリに格納された各種のプログラム、データ、各種設定を読み出して実行することにより、各種の処理部として機能する。以下の説明では、各処理部の機能をブロックで図示した機能ブロック図を用いる。
【００３９】
制御部１２１は、図４に示すように、設定ファイル読込部２１、設定ファイル記憶部２２、設定ファイル削除部２３、設定反映部２４を有する。
【００４０】
設定ファイル読込部２１は、メモリカード収容部１０５に収容されたメモリカード内に記憶された設定ファイルを読み込む。設定ファイルとは、車載装置の機能における設定項目（ａ）〜（ｅ）における設定値が書き込まれたファイルである。設定ファイル内には、工場出荷時に設定された初期設定値や、ユーザが設定したユーザ設定値が記憶される。ここで、設定ファイルには、各設定項目における設定値（ａ）〜（ｅ）が以下のように設定されている。
（ａ）ロード自動選択              （設定値：オン）
（ｂ）アナウンス選択              （設定値：女性）
（ｃ）警告パターン                （設定値：待受画面）
（ｄ）速度取締機制限速度超過警告  （設定値：無し）
（ｅ）速度取締機回避アナウンス    （設定値：オン）
【００４１】
設定ファイル読込部２１は、メモリカードインタフェース１１７を介して、メモリカードＭにアクセスし、メモリカードＭ内に記憶されている設定ファイルを読み込む。設定ファイル読込部２１は、読み込んだ設定ファイルを設定ファイル記憶部２２に記憶させる。
【００４２】
設定反映部２４は、設定ファイル記憶部２２に記憶された設定ファイル内の設定情報に基づいて車載装置１００の設定を行う。これにより、ユーザが車載装置１００を操作し、設定画面の呼び出し設定を行わなくとも、各設定項目における設定値を設定値（ａ）〜（ｅ）とすることができる。
【００４３】
車載装置１００に搭載されるハードウェアは、制御プログラムのみで制御されるのではなく、制御プログラムに加えて、機能ごとに設定される設定値に基づいて制御される。設定値は、制御プログラムが参照可能な設定値テーブルに記憶されている。設定反映部２４は、設定ファイル記憶部２２に記憶された設定ファイル内の設定値に基づいて、設定値テーブルの内容を変更する。これにより、設定反映部２４は、制御プログラムを変更することなく、制御プログラムの参照先の設定値を変更することで、各機能の設定項目の変更を行う。ここでは、制御プログラムが、設定値が記載されたテーブルを参照する形式にしたが、制御プログラムが設定値を読み込む方法は、これに限らない。例えば、制御プログラムが、設定ファイル記憶部２２に記憶された設定値を直接読み込む場合には、設定反映部２４は、設定ファイル自体を変更する。
【００４４】
［１−４．作用］
以上の様な構成を有する本実施形態の車載装置１００における動作について説明する。図５は、本実施形態における車載装置１００において、メモリカードＭに記憶された設定ファイルに基づいて、車載装置１００の設定変更を行う際の動作を示すフローチャートである。
【００４５】
ユーザが、車載装置１００の設定の変更を行いたい場合には、あらかじめ設定ファイルが記憶されたメモリカードＭをメモリカード収容部１０５に挿入しておく。設定ファイル読込部２１は、車載装置１００の起動を検知すると（Ｓ０１のＹＥＳ）、更に、設定ファイル読込部２１が、メモリカードＭ内に、設定ファイルが記憶されているかの判定を行う（Ｓ０２）。メモリカードＭ内に、設定ファイルが記憶されている場合（Ｓ０２のＹＥＳ）には、設定ファイル読込部２１は、設定ファイルを読み込んで、設定ファイル記憶部２２に記憶する（Ｓ０３）。正常に設定ファイルの記憶ができた場合には、設定ファイル削除部２３が、メモリカードＭ内の設定ファイルの削除を行う（Ｓ０４）。
【００４６】
設定反映部２４は、制御プログラムが読み込む先の設定値を、設定ファイル記憶部２２の設定値となるように反映させる（Ｓ０５）。これにより、車載装置１００の機能の設定内容が変更される。制御プログラムが読み込む先の設定値を変更するタイミングは、設定ファイルが、設定ファイル記憶部２２に記憶された時点である。また、車載装置１００の機能の設定内容が変更されるタイミングは、車載装置１００の起動時、すなわち、車載装置１００の制御プログラムが更新された設定値を読み込んだ場合となる。
【００４７】
つまり、車載装置１００は、予め起動時の動作に、制御プログラムを読み込んで、各機能を設定する工程が含まれる。起動時に制御プログラムの参照先の設定値を変更することにより、今回の起動時より、規定値が更新された制御プログラムに基づいて、車載装置１００の機能の設定が行われる。
【００４８】
一方、メモリカードスロットに挿入されたメモリカードＭに設定ファイルが記憶されていない場合（Ｓ０２のＮＯ）には、更新するべき設定値が存在しない。そのため、制御プログラムは、現在記憶している設定ファイル内の設定値を制御プログラムが参照する設定値とする。すなわち、現在の設定内容のままで動作を続ける（Ｓ０６）。つまり、車載装置１００が起動中の場合には、現在制御プログラムが参照している設定値と同じ値の設定値で、次回の起動時にも車載装置１００は動作する。なお、メモリカードＭがメモリカード収容部１０５に挿入されていても、車載装置１００が起動しなければ（Ｓ０１のＮＯ）、設定値に変わりはない（Ｓ０６）。次回の起動時に、メモリカードＭに設定ファイルが記憶されている場合、上記のように設定値が反映される。
【００４９】
［１−５．効果］
以上のように本実施形態の車載装置１００は設定ファイル読込部２１と設定反映部２４とを備えており、外部で作成された設定ファイルを読み込み、設定情報に基づいて各種設定を行う。これにより、次のような効果を奏することが可能となる。
【００５０】
（１）車載装置１００の各機能の設定を予め車外で行うことができる。このため、ユーザが車両に搭乗した場合には、設定ファイルが記録されたメモリカードＭを車載装置１００に挿入しておくだけで、車載装置１００の設定内容を変更することが可能となる。これにより、車載装置１００の設定の為に時間を必要とせず、車両を発進させることが可能となる。つまり、車載装置１００の設定の為の時間を節約することができる。
【００５１】
（２）また、車載装置１００の設定の変更を車載装置１００で行わず、外部のＰＣや情報通信端末Ｔで行うことが可能である。車載装置１００は、ディスプレイ１０３やリモコンなどの入力インタフェースを有している。そのため、車載装置１００のディスプレイ１０３に表示される設定画面と、リモコンにより、車載装置１００の機能の設定内容の変更を行うことは可能である。しかしながら、車載装置１００の制御部１２１は、車載装置１００の機能に特化したＣＰＵが用いられている。そのため、制御画面をディスプレイ１０３に表示したり、リモコンからの入力を受け付けて、設定内容の変更を行うなどの処理を素早く行うことにリソースを割けない場合がある。この場合には、設定変更を行おうとすると、処理時間が長くなりユーザにストレスを与えてしまう。これに対して、外部のＰＣや情報通信端末Ｔは、処理能力に余裕のあるＣＰＵを備えている。そのため、ユーザの好みに合わせた設定値を有する設定ファイルの作成を、ユーザのストレスなく短時間で行うことが可能である。これにより、車載装置１００の設定の為の時間を節約することができる車載装置１００を提供することができる。
【００５２】
（３）車載装置１００がレーダー探知機である場合、設定項目「ロード自動選択」では、走行中の道路が一般道であるか高速道路であるかを判定し、走行中の道路に合わせた警告を行う。例えば、ロード自動選択モードでは、地図データに基づいて走行中の道路の判定を行う。加えて、一般道路と高速道路とが並走している場合には、車両速度も道路の判定の基準とし、例えば、時速４０ｋｍ／ｈ以下の場合には一般道として判定しても良い。このような判定を行っている場合において、ユーザに道路の自動判定における車両速度の基準値の変更を許可することもできる。その場合には、設定ファイル内の設定値であるロード自動選択モードにおける車両速度の基準値を時速４０ｋｍ／ｈから時速６０ｋｍ／ｈに変更する。つまり、制御プログラムの変更を行わず、制御プログラムが参照する先の設定値を変更するだけで、道路の自動判定における車両速度の基準値の変更を行うことが可能となる。制御プログラムには、ハードウェアを動作させるために、必要不可欠な設定やコマンドが記載されている。そのため、制御プログラムの一部が変更する場合では、そのハードウェアを機能させることができなくなる可能性があるが、本実施形態では、制御ブログラムの変更を行わないので、制御プログラムの変更を原因とする動作不良の可能性はない。
【００５３】
［２．第２の実施形態］
［２−１．構成］
本発明を実施するための第２の実施形態について、図６を参照して説明する。本実施形態では、設定ファイルが無線ネットワークを介して車載装置１００へ伝送されることを特徴とする。すなわち、上述の実施形態では、車載装置１００の外部装置２００において設定ファイルはメモリカードＭ内に記憶し、メモリカードＭを車載装置１００に挿入することによりメモリカードＭ内の設定ファイルが車載装置１００内の設定ファイル記憶部２２に記憶した。本実施形態では、メモリカードＭを外部装置２００から車載装置１００に入れ替えなくとも、無線ネットワークを介して車載装置１００へ伝送される。
【００５４】
無線ネットワークは、スマートフォン、ウェアラブルデバイス等の情報通信端末ＴをアクセスポイントＡＰとする無線通信でも、情報通信端末Ｔ以外のアクセスポイントＡＰを利用した無線通信でも良い。ネットワークＮは、インターネット、専用通信網等、現在又は将来において利用可能な種々の通信網を適用できる。例えば、車載装置１００は、スマートフォン、ウェアラブルデバイス等の情報通信端末Ｔを介して、Ｗｉ-Ｆｉ（登録商標）、Ｂｌｕｅｔооｔｈ（登録商標）、ＵＳＢなどを利用したテザリングにより、ネットワークＮに接続される。
【００５５】
予め、情報通信端末Ｔにおいて設定ファイルを作成しておく。そして、ネットワークＮを介して通信可能となった情報通信端末Ｔから車載装置１００に対して設定ファイルを伝送する。設定ファイルの伝送先は、設定ファイル記憶部２２とする。これにより、メモリカードＭを情報通信端末Ｔから車載装置１００に入れ替えなくとも、情報通信端末Ｔから車載装置１００に設定ファイルを伝送することが可能となり、より手軽に車載装置１００の設定の為の時間を節約することができる。また、情報通信端末ＴをアクセスポイントＡＰとして利用する場合には、車内に情報通信端末Ｔを持ち込む可能性が高い。例えば、車内にある情報通信端末Ｔを助手席に座ったユーザが操作し、設定ファイルの作成を行っても良い。
【００５６】
［２−２．作用効果］
本実施形態では、設定ファイルが無線ネットワークを介して車載装置１００へ伝送される。このため、情報通信端末Ｔで作成した設定ファイルの内容を車載装置１００の設定ファイル記憶部に記憶するために、メモリカードＭを情報通信端末Ｔから車載装置１００へ入れ替える必要がない。これにより、ユーザは、より簡単、手軽に車載装置１００の設定の為の時間を節約することができる。また、情報通信端末Ｔから車載装置１００に対して設定ファイルを伝送し、設定ファイルの内容を直接設定ファイル記憶部に記憶したが、これに限らない。例えば、予め車載装置１００にメモリカードＭを挿入しておき、受信した設定ファイルを車載装置１００内のメモリカードＭに記憶した後、メモリカードＭ内の設定ファイルを設定ファイル記憶部に記憶しても良い。これにより、メモリカードＭを入れ替えて設定ファイルを受け渡す場合と同様の処理で車載装置１００の設定内容を変更することが可能となる。
【００５７】
［３．第３の実施形態］
［３−１．構成］
本発明を実施するための第３の実施形態について、図７及び図８を参照して説明する。本実施形態では、設定ファイルをサーバ３０上で生成することを特徴とする。
【００５８】
図７は、第３の実施形態の車載装置１００のハードウェアブロック図である。サーバ３０は、設定画面表示部３１、設定ファイル生成部３２、設定ファイル記憶部３３、設定ファイル削除部３４、設定ファイル送信部３５を備える。
【００５９】
設定画面表示部３１は、設定ファイルの設定画面の表示を行う。設定画面表示部は、サーバ３０とデータの送受信を行う情報通信端末Ｔに対して設定画面を表示させる。設定ファイルの設定画面では、ロード自動選択、アナウンス選択、警告パターン、速度取締機回避アナウンスなどの設定項目と、それぞれの設定項目におけるユーザが選択可能な設定値と表示される。設定画面表示部３１は、ＧＵＩとして設定画面を表示する。さらに、設定画面には設定項目や設定値の説明文が表示される。
【００６０】
図８は、設定画面の一例を示す。図８に示すように、設定画面には、設定項目名４１、設定値ボタン４２、説明文４３ａ、グラフィック表示領域４３ｂ、マウスポインター５０が表示される。設定項目名４１は、設定項目「警告パターン」に対応する。設定値ボタン４２は設定項目ごとに設定されるユーザが選択可能な設定値「リアルＣＧ」「待受画面」「安全運転モード」に対応する。なお、図８においては、説明のために上記３つの設定値以外を省略している。
【００６１】
説明文４３ａは、設定項目名４１及び設定値ボタン４２に対するテキストによる説明であり、設定項目「警告パターン」及び設定値「リアルＣＧ」「待受画面」「安全運転モード」についての説明が表示される。グラフィック表示領域４３ｂは、マウスポインター５０で選択した設定項目を視覚的に説明するための静止画や動画を表示するための領域である。グラフィック表示領域４３ｂに表示する静止画や動画内には、画像だけでなく画像の説明文も表示しても良い。例えば、マウスポインター５０により設定値「リアルＣＧ」を選択すると、グラフィック表示領域４３ｂには設定値「リアルＣＧ」におけるディスプレイ１０３の表示画面とその説明文が表示される。また、静止画ではなくグラフィック表示領域４３ｂに動画を表示しても良い。
【００６２】
設定ファイル生成部３２は、情報通信端末Ｔを介したユーザからの入力に応じることで、ユーザが指定した設定値を有する設定ファイルの生成を行う。サーバ３０に対して情報通信端末Ｔから、ユーザが選択した設定値の情報、設定ファイル作成指示が送信される。設定ファイル生成部３２は、情報通信端末Ｔから受信した設定値の情報、及び設定ファイル作成指示に基づいて設定ファイルの作成を行う。設定ファイル生成部３２で作成された設定ファイルは、設定ファイル記憶部３３に記憶される。
【００６３】
設定ファイル送信部３５は、車載装置１００からの要求に応じ、設定ファイル記憶部３３に記憶された車載装置１００に対応した設定ファイルを、車載装置１００に対して送信する。つまり、設定ファイルの送信は、車載装置１００からのプル型配信によって行う。設定ファイルが正常に車載装置１００に対して送信された場合には、設定ファイル削除部３４は設定ファイル記憶部３３に記憶されている設定ファイルの削除を行う。
【００６４】
サーバ３０で作成した設定ファイルは、無線ネットワークを介して車載装置１００へ伝送される。サーバ３０から伝送された設定ファイルを受信した車載装置１００は、受信した設定ファイルの内容に基づいて、車載装置１００の設定を反映させる。
【００６５】
［３−２．作用］
図９は、設定ファイル生成部３２で設定ファイルを生成する際に情報通信端末Ｔに表示される設定画面を示す。設定画面には、設定項目名４１、設定値ボタン４２に加えて設定ファイル生成ボタン４４、マウスポインター５０が表示される。図９においては、説明のために説明文４３ａやグラフィック表示領域４３ｂは省略している。
【００６６】
ユーザは、情報通信端末Ｔの画面を確認しながら、情報通信端末Ｔのディスプレイに表示されたマウスポインター５０を移動させ、設定値ボタン４２、設定ファイル生成ボタン４４上で、入力指示動作を行う。設定値ボタン４２において、選択された設定値を示すボタンは黒で塗りつぶされ、選択されていない設定値は白で塗りつぶされている。
【００６７】
図９（ａ）は、設定画面を開いた状態であり、各設定項目は、初期値に設定された状態である。すなわち、初期値は以下のように設定されている。
（ａ）ロード自動選択              （初期値：オフ）
（ｂ）アナウンス選択              （初期値：女性）
（ｃ）警告パターン                （初期値：リアルＣＧ）
（ｄ）速度取締機制限速度超過警告  （初期値：無し）
（ｅ）速度取締機回避アナウンス    （初期値：オフ）
【００６８】
例えば、ユーザが、ロード自動選択の設定値を「オン」、警告パターンを「待受画面」、速度取締機回避アナウンスを「オン」に設定する場合には、マウスポインター５０を移動させ、好みの設定値を示す設定値ボタン４２をクリックする。これにより、クリックされたボタンが黒く塗りつぶされ、設定値が選択された状態になる。
【００６９】
図９（ｂ）は、ロード自動選択の設定値を「オン」、警告パターンを「待受画面」、速度取締機回避アナウンスを「オン」のボタンをクリックした状態である。ロード自動選択の設定値を「オン」、警告パターンを「待受画面」、速度取締機回避アナウンスを「オン」を示す設定値ボタン４２は、クリックされたことにより、黒く塗りつぶされている。この状態で、設定ファイル生成ボタン４４をクリックする。これにより、情報通信端末Ｔからサーバ３０に対して、選択した設定値、及び設定ファイル作成指示が送信される。サーバ３０では、受信した設定値及び生成指示に基づいて、以下の選択した項目の設定値を含む設定ファイルを作成する。
（ａ）ロード自動選択              （設定値：オン）
（ｂ）アナウンス選択              （設定値：女性）
（ｃ）警告パターン                （設定値：待受画面）
（ｄ）速度取締機制限速度超過警告  （設定値：無し）
（ｅ）速度取締機回避アナウンス    （設定値：オン）
作成した設定ファイルは、設定ファイル記憶部３３に記憶される。
【００７０】
そして、車載装置１００から無線ネットワークを介してサーバ３０へ設定ファイルの要求が来たら、サーバ３０は車載装置１００に対応する設定ファイルを車載装置１００へ送信する。より具体的には、車載装置１００は、無線ネットワークの接続がサーバ３０との間で確立されていることを前提として、バックグラウンドでサーバ３０へのアクセスを所定の周期で行う。そして、このアクセスの際に、新しい設定ファイルがあれば、ダウンロードするかどうかの確認を求める表示を、ディスプレイ１０３に表示させる。ユーザが、入力インタフェースを介してダウンロードの実行を指示すると、設定ファイルの要求がサーバ３０に送信され、これに応じてサーバ３０から設定ファイルが車載装置１００へ送信される。車載装置１００において受信された設定ファイルの設定値は、上記のように反映される。設定ファイルが正常に伝送された場合には、設定ファイル削除部３４が、設定ファイル記憶部３３に記憶された設定ファイルの削除を行う。
【００７１】
なお、設定ファイル記憶部３３に記憶された設定ファイルは、車載装置１００に送信された後削除しなくても良い。その場合には、作成した設定ファイルにタイムスタンプ情報を含めておく。タイムスタンプ情報とは、ファイルのハッシュ値と時刻情報を組み合わせた情報である。この場合、設定ファイル送信部３５は、設定ファイル記憶部３３に記憶された設定ファイルの内で最新の設定ファイルを送信する。また、車載装置１００は、受信した設定ファイルに含まれるタイムスタンプ情報の中の時刻情報と、前回受信した設定ファイルに含まれるタイムスタンプ情報の中の時刻情報とを比較し、新しく作成された設定ファイルを受信した場合には、設定変更を行うようにする。
【００７２】
［３−３．効果］
以上のような構成を有する本実施形態では、車載装置１００の設定値を内容とする設定ファイルを、車載装置１００の外部のサーバ３０で作成する。これにより、車載装置１００の設定の為の時間を節約することができる車載装置１００を提供することができる。また、車載装置１００だけでなく、車載装置１００とサーバ３０とから成るシステムとしてとらえることも可能である。
【００７３】
また、本実施形態では、サーバ３０に、設定ファイル生成部３２を設けたが、設定ファイル生成部３２がサーバ３０に無くても良い。例えば、サーバ３０と通信可能な情報通信端末Ｔが設定ファイル生成部３２を有しても良い。この場合、サーバ３０は、情報通信端末Ｔより設定ファイルを受信し、受信した設定ファイルを設定ファイル記憶部３３に記憶しておく。そして、設定ファイル送信部３５は、車載装置１００から無線ネットワークを介してサーバ３０へ設定ファイルの要求が来たら、設定ファイル記憶部３３に記憶された車載装置１００に対応した設定ファイルを車載装置１００に対して送信する。これにより、サーバ３０に大きな負荷をかけることなく、車載装置の各種機能の設定変更の操作がし易く、且つ設定変更の為の時間を節約することができる車載装置を実現することが可能となる。
【００７４】
さらに、本実施形態では、設定画面表示部３１が表示する設定ファイルの設定画面をＧＵＩとしている。加えて、設定画面には設定項目や設定値の説明文、設定値を説明するための画像や動画が表示される。これにより、ユーザは、設定値の選択を行おうとしている設定項目が、どのような機能における設定項目であるかの把握がし易くなる。例えば、設定項目として「インテリジェント安全運転評価」という項目があった場合、ユーザは「インテリジェント安全運転評価」について知らなければ、取扱説明書などで調べる必要があるが、設定画面上にインテリジェント安全運転評価の説明として「車両の走行状態に合わせた警告をおこなう」との説明があれば、インテリジェント安全運転評価についてのＯＮ／ＯＦＦの選択がし易くなる。つまり、ユーザに馴染みのない設定項目や設定値があった場合にでも、設定ファイルの作成がし易い車載装置を実現することが可能となる。
【００７５】
［他の実施形態］
本発明は、上記の実施形態に限定されるものではなく、下記に示す他の実施形態も包含する。また、本発明は、上記の実施形態を全て又はいずれかを組み合わせた形態も包含する。さらに、これらの実施形態を発明の範囲を逸脱しない範囲で、種々の省略や置き換え、変更を行うことができ、その変形も本発明に含まれる。
【００７６】
例えば、制御部１２１に設定ファイル削除部２３を設けたが、設定ファイル削除部２３を設けなくても良い。これにより、メモリカードＭに記憶された設定ファイルが設定ファイル記憶部２２に記憶された後でも、メモリカードＭに設定ファイル（設定ファイルＡとする）は削除されない。そのため、例えば、設定ファイルＡを他の設定ファイルＢで上書きした場合には、設定ファイルＡが記憶されているメモリカードを、再度メモリカード収容部１０５に挿入することで、設定ファイルＡに基づいた設定を行うことが可能となる。
【００７７】
また、サーバ３０に設定ファイル削除部３４を設けたが、設定ファイル削除部３４を設けなくても良い。設定ファイルが正常に車載装置１００に対して送信された後も、設定ファイル記憶部３３に保存されている設定ファイルがあれば、その都度、一から設定する必要がなくなり、高い利便性を実現することが可能となる。さらに、設定ファイル作成部３２で作成した設定ファイルと、設定ファイルを作成したユーザ毎のユーザ情報とを紐づけることで、サーバ３０でユーザ毎の設定ファイルを保存することが可能となる。これにより、ユーザは、ユーザ情報を入力することで、過去に作成した設定ファイルを呼び出すことが可能となる。
【符号の説明】
【００７８】
１００…車載装置
１０１…本体
１０２…ブラケット
１０２ａ…台座
１０２ｂ…支持部
１０２ｃ…取り付け部
１０３…ディスプレイ
１０４…ランプ
１０５…メモリカード収容部
１１１…ＧＰＳ受信器
１１２…加速度センサ
１１３…気圧センサ
１１４…ジャイロセンサ
１１５…温度センサ
１１６…スピーカ
１１７…メモリカードインタフェース
１１８…信号ポート
１２０…通信部
１２１…制御部
２１…設定ファイル読込部
２２…設定ファイル記憶部
２３…設定ファイル削除部
２４…設定反映部
３０…サーバ
３１…設定画面表示部
３２…設定ファイル生成部
３３…設定ファイル記憶部
３４…設定ファイル削除部
３５…設定ファイル送信部
４１…設定項目名
４２…設定値ボタン
４３ａ…説明文
４３ｂ…グラフィック表示領域
４４…設定ファイル生成ボタン
５０…マウスポインター
２００…外部装置
【図１】
2020087157.tif 000003
【図２】
2020087157.tif 000004
【図３】
2020087157.tif 000005
【図４】
2020087157.tif 000006
【図５】
2020087157.tif 000007
【図６】
2020087157.tif 000008
【図７】
2020087157.tif 000009
【図８】
2020087157.tif 000010
【図９】
2020087157.tif 000011